(57)【要約】【課題】            ドレンタンクに溜まるドレン水の水位の確認とドレンタンクの着脱を容易にするための構造に関する。【解決手段】        枠体１内に圧縮機２とコンデンサ３とエバポレータ４とを設けて冷凍サイクルを構成し、枠体１内の下部のタンク収納部１ａにエバポレータ４で除湿したドレン水を集めるドレンタンク５を着脱可能に装着する。内部が見える透明体で構成したドレンタンク５の前面には不透明のタンクカバー６を設け、ドレンタンク５の装着時にタンクカバー６がタンク収納部１ａの蓋を構成する。タンクカバー６にはドレンタンク５の水位確認用の開口窓６ａと、開口窓６ａの上部に位置する取っ手６ｂとを形成し、ドレンタンク５の前面のタンクカバー６の開口窓６ａと取っ手６ｂに対応する部分には傾斜もしくは湾曲した形状の凹部５ａを形成し、タンクカバー６の取っ手６ｂとドレンタンク５の側面の凹部５ａとの間に手挿入用の間隙７を形成する。【選択図】          図１
2006017366.tif 000002
【特許請求の範囲】
【請求項１】
枠体１内には冷媒を圧縮する圧縮機２と、高温のガス状冷媒が送られるコンデンサ３と、液化した冷媒がキャピラリを介して送られるエバポレータ４とを設け、エバポレータ４で気化した冷媒が圧縮機２に戻される冷凍サイクルを構成すると共に、
エバポレータ４で除湿したドレン水を集めるドレンタンク５を設け、
枠体１内の下部にはドレンタンク５を着脱可能に収納するタンク収納部１ａを設けた空気調和機において、
前記ドレンタンク５は内部が見える透明体で構成し、ドレンタンク５の前面には不透明のタンクカバー６をドレンタンク５と一体に設け、
ドレンタンク５の装着時にタンクカバー６がタンク収納部１ａの蓋を構成すると共に、
前記タンクカバー６にはドレンタンク５の水位確認用の開口窓６ａと、該開口窓６ａの上部に位置する取っ手６ｂとを形成し、
ドレンタンク５の前面のタンクカバー６の開口窓６ａと取っ手６ｂに対応する部分には傾斜もしくは湾曲した形状の凹部５ａを形成し、
タンクカバー６の取っ手６ｂとドレンタンク５の側面の凹部５ａとの間に手挿入用の間隙７を形成することを特徴とする空気調和機のドレンタンク構造。
【請求項２】
前記タンクカバー６の取っ手６ｂの上部と枠体１の前面パネル１ｂとの間に手挿入用の開口８を形成したことを特徴とする請求項１記載の空気調和機のドレンタンク構造。
【請求項３】
前記凹部５ａは上部側が広がるようにテーパ状に形成したことを特徴とする請求項１記載の空気調和機のドレンタンク構造。
【発明の詳細な説明】
【技術分野】
【０００１】
この発明は枠体内に冷凍サイクルを備えた空気調和機のドレンタンクの構造に関するものである。
【背景技術】
【０００２】
冷風機や除湿機と呼ばれる空気調和機は、枠体内に圧縮機・コンデンサ・エバポレータ等からなる冷凍サイクルを備えており、エバポレータを通過して冷却される空気に含まれる水分がエバポレータの表面に結露してドレン水となり、エバポレータの下方に設けられたドレンパンに落下し、枠体内の下部に備えた着脱自在のドレンタンクに集められる。そして、使用者はドレンタンクのドレン水が一定量溜まるごとにドレンタンクを取出して排水を行うものである。
【０００３】
このような空気調和機はドレンタンクの満水検知機構を備え、ドレンタンクが満量となったときに運転を停止するものであるが、ドレンタンクが満量となる前でも使用者がドレンタンクの水位の状態を見て排水作業を行えるよう、ドレンタンクを枠体内から取出さなくてもドレンタンクの水位を確認できるようにしているものがある。
【０００４】
この構成として、ドレンタンクの水位が確認できるようにドレンタンクを透明体で構成し、ドレンタンクの側面を枠体表面に露出させたものがあるが、透明体のドレンタンクが枠体表面に露出する構造は水位の確認はしやすいが外観の見映えが悪いものであった。このため、枠体のタンク取出し口に蓋を設けたり、ドレンタンク側面にタンクカバーを取付け、この蓋やタンクカバーに水位確認用の窓を設け、この窓を通してドレンタンクの水位を確認できるようにしている。そして、この蓋やタンクカバーを枠体と同じ色にすることで、枠体全体のデザインや色合いをまとめることができた（特許文献１参照）。
【特許文献１】特開２０００−１６１７０９号公報
【発明の開示】
【発明が解決しようとする課題】
【０００５】
上記のように外観のデザインを優先するためにタンク取出し口の蓋やタンクカバーを設けてその一部に水位確認用の窓を設けたものは、蓋やカバーの内側にドレンタンクが位置するため、水位確認用の窓を正面から見たときは容易に水位の確認ができるが、水位確認用の窓を斜め方向から見たときには水位の確認がしにくい欠点があり、運転中のドレンタンクの水位を確認する場合、その都度枠体の正面に移動して確認する必要があり面倒であった。
【０００６】
また、ドレンタンクには取っ手が設けられており、ドレンタンク内に溜まった水を捨てるときは、この取っ手を持って手前に引き出すことでドレンタンクを枠体内から取出せるようになっているが、ドレン水を溜めるドレンタンクは床面近くの枠体下部に配置されているものが一般的であるため、ドレンタンクの下部に取っ手を設けたものは、使用者がしゃがんだ姿勢でドレンタンクを本体から取り出さなければならず面倒であり、取っ手の形状を大きくするとドレンタンクの容量が小さくなってしまう問題があった。一方、ドレンタンクの上部に取っ手を設けたものは、使用者が立った姿勢のままでドレンタンクの取出しができるものの、枠体の前面に取っ手が突出する構造となるため外観の見映えが悪くなってしまうものであった。
【課題を解決するための手段】
【０００７】
この発明は上記の課題を解決するもので、枠体１内には冷媒を圧縮する圧縮機２と、高温のガス状冷媒が送られるコンデンサ３と、液化した冷媒がキャピラリを介して送られるエバポレータ４とを設け、エバポレータ４で気化した冷媒が圧縮機２に戻される冷凍サイクルを構成すると共に、エバポレータ４で除湿したドレン水を集めるドレンタンク５を設け、枠体１内の下部にはドレンタンク５を着脱可能に収納するタンク収納部１ａを設けた空気調和機において、前記ドレンタンク５は内部が見える透明体で構成し、ドレンタンク５の前面には不透明のタンクカバー６をドレンタンク５と一体に設け、ドレンタンク５の装着時にタンクカバー６がタンク収納部１ａの蓋を構成すると共に、前記タンクカバー６にはドレンタンク５の水位確認用の開口窓６ａと、該開口窓６ａの上部に位置する取っ手６ｂとを形成し、ドレンタンク５の前面のタンクカバー６の開口窓６ａと取っ手６ｂに対応する部分には傾斜もしくは湾曲した形状の凹部５ａを形成し、タンクカバー６の取っ手６ｂとドレンタンク５の側面の凹部５ａとの間に手挿入用の間隙７を形成することを特徴とするものである。
【０００８】
また、タンクカバー６の取っ手６ｂの上部と枠体１の前面パネル１ｂとの間に手挿入用の開口８を形成したので、取っ手６ｂの上下に手を挿入することができ、取っ手６ｂをしっかりと握ることができるものとなり、ドレンタンク５の着脱作業が行いやすいものとなる。
【０００９】
また、凹部５ａは上部側が広がるようにテーパ状に形成することで、ドレンタンク５の水位の確認と着脱作業が容易にできる構造が、ドレンタンク５の容量を確保したまま実現できる。
【発明の効果】
【００１０】
上記課題を解決するこの発明は、透明体のドレンタンク５の前面に不透明のタンクカバー６を一体に設け、タンクカバー６の前面にドレンタンク５の水位確認用の開口窓６ａを設け、このタンクカバー６の開口窓６ａに対応するドレンタンク５の側面には傾斜もしくは湾曲した形状の凹部５ａを形成したもので、凹部５ａの傾斜もしくは湾曲した面によって開口窓６ａから見えるドレンタンク５の側面の範囲が広がったので、枠体１の斜め前方から開口窓６ａを見たときにもドレンタンク５の水位が容易に確認できるものとなり、使用者が運転中のドレンタンク５の水位を確認するときに枠体１の正面に移動する必要はなくなり、使い勝手が向上できた。
【００１１】
また、タンクカバー６の開口窓６ａの上部に取っ手６ｂを形成し、使用者がしゃがんだ姿勢にならなくてもドレンタンク５を取出すことができるようにしている。そして、ドレンタンク５の凹部５ａを取っ手６ｂに対応する部分にも設けたので、取っ手６ｂとドレンタンク５の側面との間に手挿入用の間隙７を形成することができ、取っ手６ｂの下部の開口窓６ａから間隙７に手を挿入して取っ手６ｂを持つことができるものとなり、取っ手６ｂを枠体１の前面側に大きく突出させなくても取っ手６ｂが持ちやすい構造となったから、空気調和機のデザインを損なうことなくドレンタンク５の取扱い性が向上できた。
【００１２】
また、タンクカバー６の取っ手６ｂの上部と枠体１の前面パネル１ｂとの間には手挿入用の開口８を形成したので、ドレンタンク５を取出すときに取っ手６ｂを上下から掴むことができるものとなり、取っ手６ｂが持ちやすい構造となってドレンタンク５を容易に引き出すことができるものとなったから、ドレンタンク５の取扱い性が向上できた。
【００１３】
また、ドレンタンク５の側面に設けた凹部５ａを上部側が広がるようにテーパ状に形成したので、ドレンタンク５の容量を確保したまま、水位の確認と着脱作業が容易にできる構造のドレンタンク５が実現でき、使い勝手が向上できた。
【発明を実施するための最良の形態】
【００１４】
図に示す実施例によってこの発明を説明すると、１は空気調和機の枠体、２は枠体１内に収納された冷媒圧縮用の圧縮機、３は圧縮機２で圧縮された冷媒が高温高圧となって送られるコンデンサ、４はコンデンサ３で液化した冷媒が送られるエバポレータであり、冷媒はエバポレータ５に送られて気化し、冷媒の気化熱によって周囲を冷却する。その後エバポレータ５で気化した冷媒ガスは圧縮機２に戻され、再び圧縮機２で加圧された冷媒がコンデンサ３に送られて循環している。
【００１５】
３ａは室内空気を吸引して前記コンデンサ３を通過させる排風ファン、９は枠体１の背面側に配置した排気吹出口、４ａは室内空気を吸引してエバポレータ４を通過させる冷風ファン、１０は枠体１の正面に配置した冷風吹出口、１１は排風ファン３ａと冷風ファン４ａを駆動するファンモータであり、該ファンモータ１１が回転すると排風ファン３ａと冷風ファン４ａが一緒に回転し、排風ファン３ａの風が排気吹出口９から吹出し、冷風ファン５ａの風が冷風吹出口１０から吹出すものである。
【００１６】
そして、圧縮機２で加圧されて高温高圧となったガス状冷媒はコンデンサ３を通過するときに排風ファン３ａによって送られる室内空気によって冷却されて液化し、コンデンサ３を通過して高温となった空気は排気吹出口９から排出される。また、液化した冷媒がエバポレータ４に送られると、液体の冷媒がエバポレータ４を通過する時に気化するものであり、冷風ファンによって送られる室内空気は気化熱によって冷却され、冷風となって冷風吹出口から吹出すものである。
【００１７】
１２はエバポレータ４の下方に配置したドレン受け、５は枠体１内の下部に配置したドレンタンク、１２ａはドレン受け１２とドレンタンク５とを連通するドレンパイプ、１ｂは枠体１の前面パネル、１ａは枠体１の前面パネル１ｂの下部に開口するタンク収納部であり、エバポレータ４を通過する空気に含まれる水分が凝縮してドレン水となってドレン受け１２に落下し、ドレンパイプ１２ａに誘導されてドレンタンク５に溜まり、ドレンタンク５はタンク収納部１ａから取出して捨て水する。
【００１８】
１３はドレンタンク５の片側を支点として回動できるタンクレバー、１３ａはドレンタンク５の上部開口からドレンタンク５内にのぞませた浮き子であり、該浮き子１３ａはタンクレバー１３に取付けられ、ドレン水でドレンタンク５が満量になったときにタンクレバー１３が回動する。１３ｂはタンクレバー１３の可動端、１４は枠体１のタンク収納部１ａ内にドレンタンク５を装着したときにタンクレバー１３の可動端１３ｂと当接する位置に設けた満水スイッチである。
【００１９】
ドレン水によってドレンタンク５が満量になっていない状態でドレンタンク５をタンク収納部１ａ内に装着すると、満水スイッチ１４はタンクレバー１３の可動端１３ｂに押されて閉路となり、空気調和機が運転可能状態となる。そして、空気調和機を運転してドレンタンク５が満量になると、浮き子１３ａが浮力によって上昇してタンクレバー１３が回動し、タンクレバー１３の可動端１３ｂが満水スイッチ１４から離開して満水スイッチ１４が開路となって運転を停止し、このときランプを点灯したりブザーを鳴らすなどして使用者に満水を知らせる。
【００２０】
６は不透明部材で形成されたタンクカバーであり、該タンクカバー６は枠体１の表面に露出するドレンタンク５の側面に嵌合や接着等によって取付けられてドレンタンク５と一体に構成されており、ドレンタンク５をタンク収納部１ａに装着するとタンクカバー６がタンク収納部１ａの蓋となり、タンクカバー６は枠体１の前面パネル１ｂの一部として構成される。このとき、タンクカバー６を枠体１と同じ色にすることで、枠体全体のデザインや色合いがまとまるものである。
【００２１】
また、ドレンタンク５は内部が見える透明体で構成されており、ドレンタンク５の水位が確認できるようにしているが、ドレンタンク５をタンク収納部１ａに装着したときは、不透明部材のタンクカバー６によってドレンタンク５が見えなくなってしまう。６ａはタンクカバー６の中央付近に設けたドレンタンク５の水位確認用の開口窓であり、開口窓６ａによってドレンタンク５をタンク収納部１ａから取出さなくても外部から容易にドレンタンク５の水位が確認でき、ドレンタンク５が満量となる前でも使用者がドレンタンク５の水位の状態を見てドレン水の排水を行うことができるものである。
【００２２】
６ｂは開口窓６ａの上部に形成したドレンタンク５の着脱用の取っ手、５ａはタンクカバー６を取付けたドレンタンク５の側面に形成した傾斜もしくは湾曲した形状の凹部であり、ドレンタンク５の凹部５ａはタンクカバー６の開口窓６ａと取っ手６ｂに対応する部分に配置している。５ｂはドレンタンク５の凹部５ａに上下方向に一定間隔で配置した水位確認用の目盛である。
【００２３】
従来では、ドレンタンク５にタンクカバー６を取付けた構造にすると、タンクカバー６の分だけドレンタンク５が内側に位置するため、枠体１の正面前方からタンクカバー６の開口窓６ａを見たときにはドレンタンク５の水位を確認できるが、枠体１の斜め前方から開口窓６ａを見たときにはドレンタンク５の見える範囲が狭くなり、ドレンタンク５の水位が確認しにくい欠点があったが、この発明では開口窓６ａを枠体１の斜め前方から見たときはドレンタンク５に設けた凹部５ａの湾曲もしくは傾斜した面によって見える範囲が広くなったから、タンクカバー６を設けた構造でもドレンタンク５の水位を確認しやすいものとなった。このため、使用者がドレンタンク５の水位を確認するときにわざわざ枠体１の正面に移動する必要はなくなり、使い勝手が向上できた。
【００２４】
また、ドレンタンク５は枠体１の下部に位置しているため、取っ手６ｂがドレンタンク５の下部に形成されていると、使用者はしゃがんだ姿勢で取っ手６ｂに手を掛けてドレンタンク５を引き出さなければならないため、ドレンタンク５の着脱時の作業性が悪く面倒であった。
【００２５】
一方、ドレンタンク５の取っ手６ｂをドレンタンク５の上部側に設けたときは、ドレンタンク５を取出すときに使用者が立ったままの姿勢で取っ手６ｂに手を掛けることができるが、この場合、ドレンタンク５の側面と取っ手６ｂの間に手を挿入できる隙間が必要となるため、取っ手６ｂがドレンタンク５の前方に大きく突出した形状となり、見栄えが悪くデザインを損なうという問題があった。
【００２６】
この発明ではドレンタンク５の凹部５ａを取っ手６ｂに対応する部分にも形成したものであり、７はタンクカバー６の取っ手６ｂとドレンタンク５の凹部５ａとの間に形成される手挿入用の間隙であり、ドレンタンク５を取出すときは取っ手６ｂの下部の開口窓６ａから間隙７に手を挿入して取っ手６ｂを持つことができる。このように、ドレンタンク５に凹部５ａを設けたことによって取っ手６ｂを外側に突出させなくても手挿入用の間隙７を形成することができたから、空気調和機のデザインを損なうことなく、取っ手６ｂが持ちやすい構造のドレンタンク５を構成することができた。
【００２７】
上記のようにドレンタンク５の上部に取っ手６ｂを設けることによって使用者は立った姿勢のままでドレンタンク５の取出しができるようになったが、この構成ではドレンタンク５をタンク収納部１ａから少し手前に引き出さないと取っ手６ｂを掴むことができないため、ドレンタンク５を取り出すときは最初に指先を取っ手６ｂに掛けた状態でドレンタンク５を手前に引き出す必要があるため、満量となって重量のあるドレンタンク５を取出すときは、取出しにくいと感じることがある。
【００２８】
この発明の他の実施例において、８はタンクカバー６の取っ手６ｂの上部と枠体１の前面パネル１ｂとの間に形成した手挿入用の開口であり、図に示す実施例ではタンクカバー６の取っ手６ｂの上部の前面パネル１ｂを枠体１内側にへこませることで開口８を構成している。また、取っ手６ｂをタンクカバー６の上端よりも一段低い位置に設けることで構成してもよい。
【００２９】
このように取っ手６ｂの上部に開口８を設けることによって、ドレンタンク５がタンク収納部１ａに装着された状態でも取っ手６ｂの下部の開口窓６ａと上部の開口８の両側から手を挿入できるから、取っ手６ｂをしっかりと握ることができるようになり、ドレンタンク５を取出すときに力をいれやすくなり、ドレンタンク５の着脱作業が容易になったものである。また、取っ手６ｂの上下から手を挿入することができるので、使用者が持ちやすい手の向きで取っ手６ｂを握ることができるので、使い勝手が向上できた。
【００３０】
更に、この発明の他の実施例では、ドレンタンク５の側面に設けた凹部５ａを上部側が広がるようにテーパ状に設けたから、ドレンタンク５の上部では水位の確認できる範囲を広くできると共に、タンクカバー６の取っ手６ｂとドレンタンク５の凹部５ａとの間には手が挿入できる十分な間隙７を形成でき、ドレンタンク５の下部ではドレンタンク５内側への凹部５ａの突出を少なくできた。このため、ドレンタンク５の満量位置付近では容易に水位の確認ができると共に、ドレンタンク５を取出すときには取っ手６ｂを確実に持つことができる構造をドレンタンク５の容量を少なくすることなく実現できた。
【図面の簡単な説明】
【００３１】
【図１】この発明の実施例を示す空気調和機の断面図である。
【図２】この発明の実施例を示す空気調和機の正面図である。
【図３】この発明を実施するドレンタンクの分解斜視図である。
【符号の説明】
【００３２】
１    枠体
２    圧縮機
３    コンデンサ
４    エバポレータ
５    ドレンタンク
５ａ  凹部
６    タンクカバー
６ａ  開口窓
６ｂ  取っ手
７    間隙
８    開口
【図１】
2006017366.tif 000003
【図２】
2006017366.tif 000004
【図３】
2006017366.tif 000005